(57)【特許請求の範囲】
【請求項１】
電源入り位置と電源切り位置とに揺動操作自在なスイッチレバーを、電源回路接続部を内部に備えたスイッチ本体に設けてある電源スイッチに対し、前記スイッチレバーを揺動不能にする電源スイッチロック装置であって、
前記スイッチレバーを電源切り位置でクランプするクランプ部を設け、
前記スイッチレバーをクランプ部でクランプした状態で前記スイッチ本体との接当又は前記スイッチ本体の取付け部との接当により前記スイッチレバーの電源入り揺動操作を阻止する接当部を設け、
前記クランプ部によるクランプ操作を解除不能にする施錠部を設けてあり、
前記クランプ部を構成するに、前記接当部を前記スイッチ本体又は前記スイッチ本体の取付け部に接当させた状態で前記スイッチレバーを電源切り位置で受止める受止め部と、前記スイッチレバーを前記受止め部に押し付け操作自在な押付け部材とを設け、前記押付け部材を前記受止め部に対して遠近移動自在に支持するネジ軸を設け、前記ネジ軸の軸心から外れた位置で前記受止め部と前記押付け部材とで挟み込み可能に構成してある電源スイッチロック装置。
【請求項２】
電源入り位置と電源切り位置とに揺動操作自在なスイッチレバーを、電源回路接続部を内部に備えたスイッチ本体に設けてある電源スイッチに対し、前記スイッチレバーを揺動不能にする電源スイッチロック装置であって、
前記スイッチレバーを電源切り位置でクランプするクランプ部を設け、
前記スイッチレバーをクランプ部でクランプした状態で前記スイッチ本体との接当又は前記スイッチ本体の取付け部との接当により前記スイッチレバーの電源入り揺動操作を阻止する接当部を設け、
前記クランプ部と前記接当部とを備えたロック装置本体を構成するに、底部に前記接当部を形成すると共に前記クランプ部の側周部を覆う箱体を設け、
前記箱体内の前記クランプ部の正面部を覆う扉をその箱体に開閉自在に取付け、前記クランプ部によるクランプ操作を解除不能にする施錠部を前記扉と前記箱体との間に設けてある電源スイッチロック装置。
【請求項３】
前記クランプ部を構成するに、前記接当部を前記スイッチ本体又は前記スイッチ本体の取付け部に接当させた状態で前記スイッチレバーを電源切り位置で受止める受止め部と、前記スイッチレバーを前記受止め部に押し付け操作自在なネジ式押し付け部材とを設け、前記ネジ式押し付け部材の押し付け方向を、前記スイッチレバーに対して垂直または略垂直になるように設定してある請求項２に記載の電源スイッチロック装置。
【請求項４】
前記クランプ部を構成するに、前記接当部を前記スイッチ本体又は前記スイッチ本体の取付け部に接当させた状態で前記スイッチレバーを電源切り位置で受止める受止め部と、前記スイッチレバーを前記受止め部に押し付け操作自在な押付け部材とを設け、前記押付け部材を前記受止め部に対して遠近移動自在に支持するネジ軸を設け、前記ネジ軸の軸心から外れた位置で前記受止め部と前記押付け部材とで挟み込み可能に構成してある請求項２に記載の電源スイッチロック装置。
【請求項５】
前記扉に送電禁止状態を表示する表示部を設けてある請求項２〜４に記載の電源スイッチロック装置。
【請求項６】
前記スイッチ本体がブレーカー機能を備えたものである請求項１〜５のいずれか一項に記載の電源スイッチロック装置。
【発明の詳細な説明】
【技術分野】
【０００１】
電源入り位置と電源切り位置とに揺動操作自在なスイッチレバーを、電源回路接続部を内部に備えたスイッチ本体に設けてある電源スイッチに対し、前記スイッチレバーを揺動不能にする電源スイッチロック装置に関する。
【背景技術】
【０００２】
従来、電源スイッチに接続された電動装置や設備などは、修理点検時には、安全のために電源スイッチを電源切り操作状態にして、しかもより一層の安全確保のために、そのスイッチレバーを修理点検する人以外の人が、スイッチを電源入り操作できないようにしなければならないことがあった。
そのための前記電源スイッチロック装置としては、スイッチ本体に当て付ける当接部材を備えたロック装置本体と、スイッチレバーに形成した貫通孔に嵌合可能な小突起を備えたロック片をロック装置本体に設け、ロック片の小突起を前記貫通孔に嵌合させた状態で、そのロック片の小突起を前記貫通孔から抜け出すのを阻止する南京錠を設けて、スイッチレバーの揺動操作を阻止できるようにしてあるものがあった（例えば、特許文献１参照）。
【先行技術文献】
【特許文献】
【０００３】
【特許文献１】特開平４−１９０５２４号公報
【発明の概要】
【発明が解決しようとする課題】
【０００４】
上述した従来の電源スイッチロック装置では、当接部材をスイッチ本体に当て付けた状態で、スイッチレバーの貫通孔にロック片の小突起を嵌合させて、そのロック片の動きを南京錠による施錠により阻止すれば、スイッチレバーの揺動操作を不能にすることができると共に、電源スイッチに対するロック装置本体の取付けも可能になるものであるが、ロックすべきスイッチレバー自体に貫通孔が形成してあるものでないと、役に立たないと言う問題点があった。
【０００５】
従って、本発明の目的は、上記問題点を解消し、貫通孔の形成されていないスイッチレバーを設けた電源スイッチであっても、簡単にスイッチレバーの揺動操作を不能にできる電源スイッチロック装置を提供するところにある。
【課題を解決するための手段】
【０００６】
本発明の第１の特徴構成は、電源入り位置と電源切り位置とに揺動操作自在なスイッチレバーを、電源回路接続部を内部に備えたスイッチ本体に設けてある電源スイッチに対し、前記スイッチレバーを揺動不能にする電源スイッチロック装置であって、前記スイッチレバーを電源切り位置でクランプするクランプ部を設け、前記スイッチレバーをクランプ部でクランプした状態で前記スイッチ本体との接当又は前記スイッチ本体の取付け部との接当により前記スイッチレバーの電源入り揺動操作を阻止する接当部を設け、前記クランプ部によるクランプ操作を解除不能にする施錠部を設けてあり、前記クランプ部を構成するに、前記接当部を前記スイッチ本体又は前記スイッチ本体の取付け部に接当させた状態で前記スイッチレバーを電源切り位置で受止める受止め部と、前記スイッチレバーを前記受止め部に押し付け操作自在な押付け部材とを設け、前記押付け部材を前記受止め部に対して遠近移動自在に支持するネジ軸を設け、前記ネジ軸の軸心から外れた位置で前記受止め部と前記押付け部材とで挟み込み可能に構成してあるところにある。
【０００７】
本発明の第１の特徴構成によれば、クランプ部によりスイッチレバーをクランプすることで、電源スイッチロック装置は電源スイッチに支持された状態に取付けることができる。しかも、接当部によるスイッチ本体又はスイッチ本体の取付け部との接当で、クランプ部によりクランプされたスイッチレバーは、電源入り揺動操作をしようとしても阻止され、その上、施錠部によりクランプ部のクランプ操作を解除不能にできるために、従来のような貫通孔をスイッチレバーに形成していなくても、幅広い種類のスイッチレバーを対象に、電源入り揺動操作が不能にできる。従って、電源スイッチに接続された電動装置や設備の修理点検などを、電源スイッチを確実に切り状態を維持しながら安全に行なえる。さらに、受止め部と押付け部材とによるスイッチレバーの挟み込み部と、押付け部材の押付けのための遠近移動操作を行なうネジ軸とを横に並設でき、全体をコンパクトに納めることができる。
【０００８】
本発明の第２の特徴構成は、電源入り位置と電源切り位置とに揺動操作自在なスイッチレバーを、電源回路接続部を内部に備えたスイッチ本体に設けてある電源スイッチに対し、前記スイッチレバーを揺動不能にする電源スイッチロック装置であって、前記スイッチレバーを電源切り位置でクランプするクランプ部を設け、前記スイッチレバーをクランプ部でクランプした状態で前記スイッチ本体との接当又は前記スイッチ本体の取付け部との接当により前記スイッチレバーの電源入り揺動操作を阻止する接当部を設け、前記クランプ部と前記接当部とを備えたロック装置本体を構成するに、底部に前記接当部を形成すると共に前記クランプ部の側周部を覆う箱体を設け、前記箱体内の前記クランプ部の正面部を覆う扉をその箱体に開閉自在に取付け、前記クランプ部によるクランプ操作を解除不能にする施錠部を前記扉と前記箱体との間に設けてあるところにある。
【０００９】
本発明の第２の特徴構成によれば、クランプ部によりスイッチレバーをクランプすることで、電源スイッチロック装置は電源スイッチに支持された状態に取付けることができる。しかも、接当部によるスイッチ本体又はスイッチ本体の取付け部との接当で、クランプ部によりクランプされたスイッチレバーは、電源入り揺動操作をしようとしても阻止され、その上、施錠部によりクランプ部のクランプ操作を解除不能にできるために、従来のような貫通孔をスイッチレバーに形成していなくても、幅広い種類のスイッチレバーを対象に、電源入り揺動操作が不能にできる。従って、電源スイッチに接続された電動装置や設備の修理点検などを、電源スイッチを確実に切り状態を維持しながら安全に行なえる。さらに、クランプ部がロック装置本体の箱体と扉で覆うことができ、その上、扉を開けられないように施錠部を扉と箱体との間に設けることにより、簡単な構造でスイッチレバーの電源入り揺動操作が阻止でき、安価で安全性の高いロック装置を提供できる。
【００１０】
本発明の第３の特徴構成は、前記クランプ部を構成するに、前記接当部を前記スイッチ本体又は前記スイッチ本体の取付け部に接当させた状態で前記スイッチレバーを電源切り位置で受止める受止め部と、前記スイッチレバーを前記受止め部に押し付け操作自在なネジ式押し付け部材とを設け、前記ネジ式押し付け部材の押し付け方向を、前記スイッチレバーに対して垂直または略垂直になるように設定してあるところにある。
【００１１】
本発明の第３の特徴構成によれば、本発明の第２の特徴構成による上述の作用効果を叶えることができるのに加えて、接当部をスイッチ本体又はスイッチ本体の取付け部に接当させて、クランプ部でスイッチレバーをクランプする際に、スイッチレバーを電源切り位置で受止め部により受止めさせながら、ネジ式押し付け部をスイッチレバーに押し付けることで、太さや大きさの異なるスイッチレバーであっても押し付け部のネジ調整により確実にクランプできる。
しかも、ネジ式押し付け部材の押し付け方向が、スイッチレバーに対して垂直または略垂直になるように設定してあるので、スイッチレバーの揺動を確実に阻止することができる。
【００１２】
本発明の第４の特徴構成は、前記クランプ部を構成するに、前記接当部を前記スイッチ本体又は前記スイッチ本体の取付け部に接当させた状態で前記スイッチレバーを電源切り位置で受止める受止め部と、前記スイッチレバーを前記受止め部に押し付け操作自在な押付け部材とを設け、前記押付け部材を前記受止め部に対して遠近移動自在に支持するネジ軸を設け、前記ネジ軸の軸心から外れた位置で前記受止め部と前記押付け部材とで挟み込み可能に構成してあるところにある。
【００１３】
本発明の第４の特徴構成によれば、受止め部と押付け部材とによるスイッチレバーの挟み込み部と、押付け部材の押付けのための遠近移動操作を行なうネジ軸とを横に並設でき、全体をコンパクトに納めることができる。
【００１４】
本発明の第５の特徴構成は、前記扉に送電禁止状態を表示する表示部を設けてあるところにある。
【００１５】
本発明の第５の特徴構成によれば、クランプ部によりスイッチレバーをクランプして扉を閉じた状態で施錠すれば、扉に設けた表示部により、送電禁止状態の表示を視認できるために、電源スイッチに接続された電動装置や設備の修理点検中に、第三者がその状態を把握できやすく、安全性の確保に対する協力を得やすくなる。
【００１６】
本発明の第６の特徴構成は、前記スイッチ本体がブレーカー機能を備えたものであるところにある。
【００１７】
本発明の第６の特徴構成によれば、ブレーカー機能を備えたスイッチ本体の場合は、スイッチ電源入りの状態が通常状態であることが一般的であるために、修理点検中のスイッチの電源切り状態を、特に誤って入り状態に揺動操作してしまう虞があり、この場合であっても、施錠部により入り操作不能にできるために、安全性を確保できる。
【図面の簡単な説明】
【００１８】
【図１】電源スイッチに装着前の全体斜視図である。
【図２】電源スイッチに装着した状態の斜視図である。
【図３】施錠部の施錠状態の全体斜視図である。
【図４】（ａ）は、装着前の縦断面図、（ｂ）は、装着状態の縦断面図である。
【図５】別実施形態の正面図である。
【発明を実施するための形態】
【００１９】
以下に本発明の実施の形態を図面に基づいて説明する。
【００２０】
図１〜図４に示すように、電動装置や電動式生産ライン等の電気設備に対して電力を供給するための電気配線の一部に設けてあるブレーカー式の電源スイッチ１は、電源入り位置と電源切り位置とに揺動操作自在なスイッチレバー２を、ブレーカー機能を備えた電源回路接続部を内部に備えたスイッチ本体３に設けてある。上記の電動装置や設備の修理点検時には、その電源スイッチ１のスイッチレバー２を電源切り位置にして、電源切り状態を維持して安全を確保しなければ成らない。
そこで、電源切り状態でスイッチレバー２の揺動操作を不能にする電源スイッチロック装置４を、下記に示すように構成してある。
【００２１】
前記電源スイッチロック装置４は、ロック装置本体５に、スイッチ本体３に対する接当部６と、スイッチレバー２を電源切り位置でクランプするクランプ部７を設け、スイッチレバー２をクランプ部７でクランプした状態でスイッチ本体３との接当によりスイッチレバー２の電源入り揺動操作を阻止する接当部６を設けてある。
前記クランプ部７と接当部６とを備えたロック装置本体５を構成するに、底部に接当部６を形成しクランプ部７の側周部を覆う側壁部を形成したアクリル樹脂製などの透明な箱体９と、箱体９内のクランプ部７の正面を覆う樹脂製の扉１０とを設け、箱体９に対して扉１０を開閉揺動自在にヒンジ１１を介して取付けてある。そして、南京錠１２による施錠部を箱体９と扉１０との間に設けて、クランプ部７によるクランプ操作を解除不能にしてある。
【００２２】
電源切り位置のスイッチレバー２を箱体９内に挿入させる切欠き開口部１４を、箱体９の底部に設け、接当部６がスイッチ本体３に接当するまで切欠き開口部１４を通してロック装置本体５内に侵入させたスイッチレバー２を、クランプ部７でクランプできるように構成してある。
【００２３】
前記クランプ部７を構成するに、接当部６をスイッチ本体３に接当させた状態でスイッチレバー２を電源切り位置で受止める受止め部１５と、スイッチレバー２を受止め部１５に押し付け操作自在なネジ式押し付け部材１６とを設け、ネジ式押し付け部材１６の押し付け方向を、スイッチレバー２に対して垂直または略垂直になるように設定してある。つまり、図４に示すように、ネジ式押し付け部材１６を斜めに螺進自在に取り付ける取付け支持部１７を、ロック装置本体５に設けてある。
【００２４】
前記扉１０には、送電禁止状態を表示したり、電源スイッチ１のロック操作責任者等を表示する表示部１８を設けて、第三者に対して意図的にスイッチレバー２を電源切り操作状態にしてあることをアピールできるようにして、安全性を確保できるようにしてある。
【００２５】
次に電源スイッチロック装置４の装着手順を説明する。
１．  図１、図４ａに示すように、電気設備の壁などに取付けられたブレーカー式の電源スイッチ１に対し、ロック装置本体５の箱体９に形成した切欠き開口部１４を通して電源切り操作位置にあるスイッチレバー２を挿通させ、接当部６をスイッチ本体３に接当させる。
２．  図２、図４ｂに示すように、ネジ式押し付け部材１６を締付け操作して、スイッチレバー２を受止め部１５に押し付けるべくクランプする。つまり、クランプ部７によるスイッチレバー２のクランプにより、ロック装置本体５はスイッチレバー２に取り付いて支持されると同時に、接当部６の作用で、スイッチレバー２の電源入り揺動操作が阻止される。
３．  図３に示すように、ロック装置本体５の箱体９に対して扉１０を閉じ、南京錠１２により扉１０が開かないように施錠する。
〔別実施形態〕
以下に他の実施の形態を説明する。
【００２６】
〈１〉  前記接当部６は、スイッチ本体３に対して接当させるようにしてある構成に代えて、スイッチ本体３の取付け部（壁やスイッチボックス等）に接当させるように構成してあっても良い。つまり、クランプ部７でスイッチレバー２をクランプした状態で、箱体９を動かそうとしても接当部６がスイッチ本体３やスイッチ本体３の取付け部に当たって、箱体９に作用する力の反力受けになるように突っ張り作用が発揮できるようにしてあればよい。
〈２〉  前記箱体９の底部裏面には、接当部６にゴム磁石を付設して、電源スイッチロック装置４がロック不要の時に、電気設備の鉄製の壁などに吸着支持させておいて、いつでも使用できるように準備してあっても良い。
〈３〉  前記ネジ式押し付け部材１６の螺進方向は、スイッチレバー２に対して垂直に押し付けない場合もよく、クランプしてスイッチレバー２が動かなければ良い。
〈４〉  前記ロック装置本体５は、クランプ部７を全て覆う箱体９でなくとも、ネジ式押し付け部材１６のみを覆って操作できないように施錠できるようにしたり、ネジ式押し付け部材１６を操作できないように、直接、押し付け部材を施錠できる施錠機構が設けてあっても良い。
〈５〉  前記扉１０には前記表示部１８を設けずに、単なる透明な板で形成してあって、施錠部で施錠後、送電禁止を促す表示プレートを、別途ロック装置本体５に取り付けるようにしてあっても良い。
〈６〉  前記電源スイッチ１は、ブレーカー式以外に単に電源を入り切りする接続用の電源スイッチ１又は、電気回路を切り替えるスイッチであっても良く、それらのスイッチ全てに本発明の電源スイッチロック装置４は使用できる。
〈７〉  前記クランプ部７は、図５に示すように、接当部をスイッチ本体３又はスイッチ本体３の取付け部に接当させた状態でスイッチレバー２を電源切り位置で受止める受止め部１５と、スイッチレバー２を受止め部１５に押し付け操作自在な押付け部材１９とを設け、押付け部材１９を受止め部１５に対して遠近移動自在に支持するネジ軸２０を設け、ネジ軸２０の軸心から外れた位置で受止め部１５と押付け部材１９とで挟み込み可能に構成してあっても良い。つまり、ネジ軸２０を回転操作自在に受止め部１５に取り付け、そのネジ軸２０の回転操作部２１を回転操作することにより、板状の押付け部材１９が受止め部１５に対して遠近移動するように押付け部材１９をネジ軸に取り付けてある。そして、押付け部材１９におけるネジ軸２０の軸心から外れた箇所でスイッチレバー２を挟み込むように構成してある。
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２７】
１      電源スイッチ
２      スイッチレバー
３      スイッチ本体
６      接当部
７      クランプ部
９      箱体
１０    扉
１３    施錠部
１５    受止め部
１６    ネジ式押し付け部材
１８    表示部
１９    押付け部材
【図１】
0005493222.tif 000002
【図２】
0005493222.tif 000003
【図３】
0005493222.tif 000004
【図４】
0005493222.tif 000005
【図５】
0005493222.tif 000006